(57)【要約】小火器のためのローラー逆鉤／撃鉄インターフェース。逆鉤（１１）は、逆鉤本体（１４）の一部を形成する２つの側面プレート（１６）の間に回転可能に取り付けられるローラー（１７）を有する。引き金（１３）が動く場合、引き金（１３）および逆鉤（１１）を接続するリンク機構（１２）によって、逆鉤（１１）が、後方に旋回し、その結果、ローラー（１７）が、撃鉄（２１）に形成される切り欠き表面（２２）と係合する。この回転作用は、発射ピン（２４）を打つように撃鉄（２１）を開放し、一回の弾薬を発射する。引き金（１３）が開放される場合、逆鉤ローラー（１７）は、撃鉄（２１）に形成される切り欠き（２２）内において係合ロック位置へと下方に回転する。
2007510129.tif 000002
【特許請求の範囲】
【請求項１】
小火器であって、以下：
引き金；
一回の弾薬を係合および発射するために適合された、発射ピン；
逆鉤であって、該逆鉤が、該引き金の動きに応答して後方に旋回するようにリンク機構によって該引き金に接続され、該逆鉤に回転可能に取り付けられたローラーを有する、逆鉤；ならびに
撃鉄であって、該撃鉄が、該撃鉄の後方側面に沿って形成されたローラ受容切り欠きを有する、撃鉄、
を備え、ここで、該引き金が該撃鉄を開放して該発射ピンを打ち、該一回の弾薬を発射するように動く場合に、該逆鉤のローラーが、該撃鉄に形成される切り欠きの係合表面に沿って回転する、小火器。
【請求項２】
請求項１に記載の小火器であって、前記逆鉤が、一対の対向する側面プレートをさらに備え、前記ローラーが、該側面プレートの間に上端において取り付けられている、小火器。
【請求項３】
請求項１に記載の小火器であって、前記切り欠きの係合表面が、後方に角度が付けてある、小火器。
【請求項４】
請求項１に記載の小火器であって、前記引き金が開放された場合に、前記ローラーが、前記撃鉄の切り欠き内で、完全係合ロック位置へと下方に回転する、小火器。
【請求項５】
請求項１に記載の小火器であって、前記逆鉤が前記撃鉄を開放する前に、前記引き金が部分的に引かれ開放される場合、前記ローラーが、係合ロック位置へと戻るように該撃鉄の切り欠きに沿って下方に回転する、小火器。
【請求項６】
撃鉄駆動小火器引き金アセンブリにおいて使用するための逆鉤機構であって、以下：
一対の対向する側面プレートを備える、本体部分；
該側面プレートの上端において、該側面プレートの間に取り付けられた、ローラー、
を備え、ここで、引き金が撃鉄を開放するように動く場合に、該ローラーの表面が、該撃鉄に形成される切り欠き表面に沿って回転し、そして該引き金が開放される場合に、ローラの表面が、反対方向に該切り欠き表面に沿って回転する、逆鉤機構。
【請求項７】
請求項６に記載の逆鉤機構であって、該逆鉤機構が、機械的リンク機構によって前記引き金に接続され、前記引き金が前記撃鉄を開放するように動く場合に、該機械的リンク機構によって、逆鉤機構が、後方に旋回する、逆鉤機構。
【請求項８】
請求項６に記載の逆鉤機構であって、前記引き金が部分的に引かれ開放される場合、前記ローラーが、前記撃鉄の切り欠きに沿って下方に回転して、係合ロック位置へと戻る、逆鉤機構。
【請求項９】
請求項６に記載の逆鉤機構であって、前記対向する側面プレートが、固定具によって接続されている、逆鉤機構。
【請求項１０】
請求項６に記載の逆鉤機構であって、前記対向する側面プレートが、高強度材料から形成されている、逆鉤機構。
【請求項１１】
請求項６に記載の逆鉤機構であって、前記本体部分が、打ち抜き、ミリング、または射出成型プロセスのうちのいずれか１つによって形成され得る、逆鉤機構。
【請求項１２】
小火器引き金アセンブリのための逆鉤−撃鉄インターフェースであって、以下：
後方表面に沿って形成されるローラー受容切り欠きを有する、撃鉄；および
逆鉤であって、該逆鉤が、引き金の動きに応答して後方に旋回するように該引き金アセンブリに接続され、該逆鉤が、一対の対向する側面プレートの間に取り付けられたローラーを有する、逆鉤、
を備え、ここで、該引き金が該撃鉄を開放するように動く場合に、該ローラーが、該撃鉄に形成された切り欠きの係合表面に沿って回転する、逆鉤−撃鉄インターフェース。
【請求項１３】
請求項１２に記載の逆鉤−撃鉄インターフェースであって、前記ローラーが、各プレートの上端において前記側面プレートの間に取り付けられている、逆鉤−撃鉄インターフェース。
【請求項１４】
請求項１２に記載の逆鉤−撃鉄インターフェースであって、前記切り欠きの係合表面が、角度を有している、逆鉤−撃鉄インターフェース。
【請求項１５】
請求項１２に記載の逆鉤−撃鉄インターフェースであって、前記引き金が開放される場合に、前記ローラーが、前記撃鉄の切り欠き内の係合ロック位置へと下方に回転する、逆鉤−撃鉄インターフェース。
【請求項１６】
請求項１２に記載の逆鉤−撃鉄インターフェースであって、前記逆鉤が前記撃鉄を開放する前に、前記引き金が部分的に引かれ開放される場合、前記ローラーが、係合ロック位置へと戻るように、該撃鉄の切り欠きに沿って下方に回転する、逆鉤−撃鉄インターフェース。
【請求項１７】
請求項１２に記載の逆鉤−撃鉄インターフェースであって、前記引き金アセンブリが、前記引き金および前記逆鉤を該引き金に接続する機械的リンク機構を備える、逆鉤−撃鉄インターフェース。
【請求項１８】
請求項１２に記載の逆鉤−撃鉄インターフェースであって、前記引き金が動く場合に、前記機械的リンク機構によって、前記逆鉤が、前記切り欠きに係合するローラーによって後方に旋回して、前記撃鉄を開放する、逆鉤−撃鉄インターフェース。
【発明の詳細な説明】
【技術分野】
【０００１】
（関連出願に対する相互参照）
本特許出願は、本特許出願において名前を挙げられた発明者による、米国特許出願番号６０／５１６，４４３号として、２００３年１０月３１日に出願された、「Ｒｏｌｌｅｒ  Ｓｅａｒ／Ｈａｍｍｅｒ  Ｉｎｔｅｒｆａｃｅ  Ｆｏｒ  Ｆｉｒｅａｒｍｓ」と題された、先に出願された同時係属中の仮特許出願の正式出願である。この特許出願は、仮特許出願を支配する法律および規則（特に、３５Ｕ．Ｓ．Ｃ．§１１９条（ｅ）（１）および３７ＣＦＲ§§１．７８（ａ）（４）および（ａ）（５））に従って、引用される仮特許出願の出願日の利益を主張する。この仮特許出願の明細書および図面は、本明細書中において参考として具体的に援用される。
【０００２】
（発明の分野）
本発明は、一般的に、撃鉄駆動小火器引き金アセンブリ、特に、撃鉄駆動小火器引き金アセンブリのための撃鉄／逆鉤インターフェースに関する。
【背景技術】
【０００３】
（発明の背景）
撃鉄駆動小火器引き金アセンブリまたは発射制御システム（例えば、拳銃、猟銃、およびレバー作動および半自動ライフルを含む種々の他のタイプの長い銃）において、小火器の撃鉄は、一般的に、逆鉤との機械的インターフェースによって撃鉄を起こした（ｃｏｃｋｅｄ）位置に保持される。逆鉤は、小火器の引き金に直接的な連結されるか、または機械的リンク機構を介して連結されるかのいずれかである。引き金が一回の弾薬を発射するために圧迫されるかまたは後ろに動く場合、逆鉤は、一般的に、撃鉄を開放するために、撃鉄とのロック係合から外れるように動く。次いで、撃鉄は、撃鉄バネによって小火器の発射ピンと接触するように旋回する。撃鉄による発射ピンの係合によって、発射ピンが、小火器の薬室内の一回の弾薬を打ち、一回の弾薬の発射を開始する。
【０００４】
図１は、一般的に、従来の撃鉄逆鉤インターフェースを示し、ここで、この逆鉤２は、切り欠きかぎ付き部分６を備え、この切り欠きかぎ付き部分６は、後部撃鉄４に形成される対応する切り欠きまたはまたはかぎ８と係合する。この機械的インターフェースの滑る性質に起因して、逆鉤２および撃鉄４は、一般的に、撃鉄および逆鉤の両方に滑らかかつ平らな表面を提供および確実にし、滑らかかつてきぱきとした（ｃｒｉｓｐ）引き金の感覚を提供して、発射の間、捕まえることまたは躊躇（ｈｅｓｉｔａｔｉｏｎ）（これは、不発を導き得、射手の目的に影響を与え得る）を避けるために、正確に機械加工されなければならない。さらに、撃鉄／逆鉤インターフェースについて、部分的に引き金を引くとき（すなわち、逆鉤２が部分的に回転するが、撃鉄４を開放しない場合）、２つの構成要素が、小火器の不注意な発射を妨げるために、引き金の開放の際に完全な係合に戻らなければならないことがまた、重要である。従って、構成要素が引き金の開放の際に完全な係合に戻ることの重要性は、撃鉄４および逆鉤２の形状および表面仕上げが、注意深くかつ正確に機械加工および仕上げられて、その結果、撃鉄および逆鉤が、発射することなく部分的な引き金の引きの後に、引き金が開放されるこのような状況において完全な係合を回復することがさらに必要である。しかし、これらの構成要素のこのような正確かつ注意深い機械加工は、一般的に、より高価であり、このような部品が、滑らかなインターフェースおよび機能を提供するのに必要な特定の狭い範囲の許容度以内で正確に機械加工されることを確実にするための重大な品質制御および検査を必要とする。
【発明の開示】
【発明が解決しようとする課題】
【０００５】
従って、当該分野における上記および他の関連するおよび関連しない問題に取り組む、撃鉄駆動小火器引き金アセンブリのための新たな撃鉄／逆鉤インターフェースについての必要性が存在することがわかり得る。
【課題を解決するための手段】
【０００６】
（発明の要旨）
本発明は、小火器のためのローラー逆鉤／撃鉄インターフェースに関する。例示的な実施形態において、逆鉤は、逆鉤本体の一部を形成する２つの側面の間に回転可能に取り付けられるローラーを有する。引き金が動く場合、引き金および逆鉤を接続するリンク機構によって、逆鉤が後方に旋回し、その結果、ローラーが撃鉄に形成された切り欠き表面に沿って回転する。この回転の作動は、撃鉄を開放して、発射ピンを打ち、一回の弾薬を発射する。一回の弾薬の発射に続いて、撃鉄は、完全な撃鉄を起こした位置に戻り、その後、逆鉤ローラーが、撃鉄に形成された切り欠き部内で、係合ロック位置へと下に回転する。
【０００７】
本発明の１つの局面において、逆鉤機構は、撃鉄駆動小火器引き金アセンブリにおける使用のために提供される。逆鉤機構は、一対の対向する側面プレートを備える本体部分；および側面プレートの上端の側面プレートの間に取り付けられたローラーを備える。引き金が撃鉄を開放し、発射ピンを打つように移動する場合に、撃鉄に形成される切り欠き表面に沿ってローラーの表面が回転する。ローラーの表面が、引き金が開放された場合に、対向方向に切り欠き表面に沿って回転する。
【０００８】
本発明の別の局面において、逆鉤−撃鉄インターフェースは、小火器引き金アセンブリのために提供される。逆鉤−撃鉄インターフェースは、後方表面に沿って形成されるローラー受容切り欠き部を有する、撃鉄；および引き金アセンブリに接続されて、引き金の動きに応答して後方に旋回する、逆鉤を備える。逆鉤は、一対の対向する側面プレート間に取り付けられるローラーを有する。ローラーは、引き金が撃鉄を開放するように動く場合に、撃鉄に形成される切り欠き部の係合表面に沿って回転する。
【０００９】
本発明は、添付の図面とともに、本発明の以下の詳細な説明を読むことによって、より良く理解される。
【発明を実施するための最良の形態】
【００１０】
（発明の説明）
本発明の以下の説明は、本発明を、その最も良い、現在分かっている実施形態で、実施可能な教示として提供する。当業者は、多くの変更が、本発明の有益な結果を依然として得ながら、記載される実施形態に対してなされ得ることを認識する。本発明の所望の利点のいくつかが、他の特徴を利用することなく、本発明の特徴のいくつかを選択することによって得られ得ることもまた、明白である。従って、当業者は、本発明に対する多くの改変および適合が可能であり、特定の状況において望ましくさえあり得、本発明の一部であることを認識する。従って、本発明の範囲は特許請求の範囲によって規定されるので、以下の説明は、本発明の原理の例示として提供され、本発明の制限ではない。
【００１１】
本発明は、一般的に、種々のタイプの長い銃（猟銃およびライフル、拳銃、およびそれらから何回かの弾薬を発射するための撃鉄駆動引き金アセンブリまたは発射制御システムを利用する他のタイプの小火器を含む）のような小火器Ｆ（図５）の撃鉄駆動引き金アセンブリまたは発射制御システムＴ（図４および５）のための、改善された撃鉄／逆鉤インターフェース１０（図２および３）に関する。本発明は、さらに、代表的に、従来の撃鉄駆動小火器引き金アセンブリまたは発射制御システムについて従来の撃鉄／逆鉤インターフェースに必要とされる逆鉤、撃鉄およびそれらの間のインターフェースの広範な表面仕上げおよび正確なミリングまたは形成操作を必要とすること無しに、撃鉄駆動引き金アセンブリの作動の間により滑らかでてきぱきとした（ｃｒｉｓｐｅｒ）感覚を提供することに関する。
【００１２】
図２〜５に一般的に示されるように、本発明の改善された撃鉄／逆鉤インターフェース１０は、一般的に、機械的リンク機構１２（図４および５）を介して、小火器引き金アセンブリまたは発射制御システムの引き金１３に接続される逆鉤１１を備える。図２に示されるように、本発明のローラー逆鉤１１は、本体部分１４を備え、この本体部分１４は、一対の対向する側面プレート１６を有し、それぞれが代表的に、鋼のような金属または他の耐久性の高強度材料から形成され、リベット、ボルトまたは他の類似の固定機構のような固定具を介して一緒に取り付けられる。あるいは、本体１４は、単一の一体の片としてまたは構成要素として、打ち抜かれ得るか、ミリングされ得るか、金属射出成型され得るか、またはそれ以外で形成され得る。ローラーまたは直線ベアリング１７は、その上端１８において側面プレートの間に回転可能に取り付けられて、図４および５に示されるように、小火器の引き金１３の動きに応答して、逆鉤１１の動きの際に回転する。図２および３にさらに示されるように、ローラーまたは直線ベアリング１７は、撃鉄２１の後方部分に形成される切り欠き１９と係合し、切り欠き１９の中で静止して、撃鉄が起こされた位置または準備位置で、撃鉄２１を係合およびロックする。
【００１３】
図４および５に示されるように、引き金１３が後方に動くかまたは引かれる場合、引き金と逆鉤１１との間のリンク機構１２が、前方に動き、次いで、本発明の逆鉤１１が後方に旋回する。逆鉤が後方に旋回する場合、ローラーまたは直線ベアリング１７は、撃鉄２１に形成される切り欠き１９の角度の付いた後方表面２２に沿って回転して、逆鉤による係合から撃鉄を開放する。撃鉄が開放されるとき、撃鉄バネ（図示せず）によって前方に押しやられ、小火器の発射ピン２４の後方端２３を打ち、発射ピンが前方に移動し、小火器内に装填された一回の弾薬（図示せず）の雷管（ｐｒｉｍｅｒ）を打ち、その回の発射を行う。その後、撃鉄がその撃鉄を起こした発射準備位置に戻るように動くときに、引き金の開放の際、逆鉤１１のローラ１１が再び、撃鉄２１の切り欠き１９によって係合され、切り欠き１９内の完全係合ロック位置へと下方に回転する。
【００１４】
従って、本発明のローラー逆鉤／撃鉄インターフェースは、撃鉄および逆鉤の機械加工、ならびにそれらの表面仕上げにおいて、小火器のための撃鉄駆動引き金アセンブリまたは発射制御システムについての従来の逆鉤および撃鉄構成要素を形成するために一般的に必要とされていたよりも、大きな許容度で可能にする。本発明のローラー作動は、さらに一般的に、従来の撃鉄／逆鉤インターフェースの摩擦滑り係合とは対照的に、滑らかな回転係合を確実にする。さらに、逆鉤が部分的な引き金の引きおよび開放に供される場合、本発明のローラー設計はまた、一般的に、本発明のローラー逆鉤／撃鉄インターフェースの摩擦局面の減少に起因して、より少ない躊躇で、撃鉄とのその係合ロック位置を回復する。
【００１５】
上記は好ましい実施形態または特徴に関して上に開示されているものの、その精神および範囲から逸脱することなく、種々の追加、変更、および改変がなされ得ることが当業者によってさらに理解される。
【図面の簡単な説明】
【００１６】
【図１】図１は、従来の撃鉄／逆鉤インターフェースの側面立面図である。
【図２】図２は、本発明のローラー逆鉤／撃鉄インターフェースの斜視図である。
【図３】図３は、本発明のローラー逆鉤／撃鉄インターフェースの側面立面図であり、明瞭にするために部分が切り離されている。
【図４】図４は、本発明のローラー逆鉤／撃鉄インターフェースを利用する、撃鉄駆動発射制御または引き金アセンブリの概略図である。
【図５】図５は、小火器に取り付けられた、本発明のローラー逆鉤／撃鉄インターフェースを利用する発射制御引き金アセンブリの一例を示す側面立面図である。
【図１】
2007510129.tif 000003
【図２】
2007510129.tif 000004
【図３】
2007510129.tif 000005
【図４】
2007510129.tif 000006
【図５】
2007510129.tif 000007
【国際調査報告】
2007510129.tif 000008
2007510129.tif 000009
2007510129.tif 000010